(57)【特許請求の範囲】
【請求項１】
交換可能なレンズ（１）が嵌め込まれた合成樹脂材からなるリム（２）の両端部にヒンジ（５）を介して合成樹脂材からなるツル（６）を折り畳み自在に取り付けたものとし、前記リム（２）は、枠体（１１）にレンズ（１）の上端縁が嵌め込まれる溝（１２）が形成され、この枠体（１１）の外端部には前記ヒンジ（５）の一方のヒンジ体（５ａ）が設けられ、このヒンジ体（５ａ）に、前記ツル（６）に設けられたヒンジ（５）の他方のヒンジ体（５ｂ）と、合成樹脂材からなる着脱操作体（７）の基端部（７ａ）とが回動自在として軸支されたものとし、前記着脱操作体（７）の回動端部（７ｂ）に、前記枠体（１１）の外端部に設けたヒンジ体（５ａ）の係止部（９）に係止される係止片（１０）が設けられ、この係止片（１０）が前記ヒンジ体（５ａ）の係止部（９）に係止されている状態で、前記レンズ（１）に設けた外係止部（１ａ）に係止されるようにした眼鏡であって、前記外係止部（１ａ）を、レンズ（１）の上端縁に設けた突出体とし、この突出体の下端が前記着脱操作体（７）の係止片（１０）の上端に係止されるようにしたことを特徴とする眼鏡。
【請求項２】
前記ヒンジ体（５ａ）に、前記ヒンジ体（５ｂ）と前記基端部（７ａ）とが軸体（８）により回動自在として同軸支されたものとしたことを特徴とする請求項１記載の眼鏡。
【請求項３】
前記レンズ（１）の上端縁に、リム（２）との位置決め用の切込み（Ｃ）が設けられたことを特徴とする請求項１記載の眼鏡。
【請求項４】
前記ツル（６）が折り畳まれていない状態では、このツル（６）の先端部（６ａ）が前記着脱操作体（７）の基端部（７ａ）に当接するようにし、前記ツル（６）が折り畳まれた状態では、このツル（６）の先端部（６ａ）が前記着脱操作体（７）の基端部（７ａ）に当接しないようにしたことを特徴とする請求項１記載の眼鏡。
【請求項５】
前記ツル（６）が折り畳まれていない状態では、このツル（６）の先端部（６ａ）が前記着脱操作体（７）の基端部（７ａ）に当接しないようにし、前記ツル（６）が折り畳まれた状態でも、このツル（６）の先端部（６ａ）が前記着脱操作体（７）の基端部（７ａ）に当接しないようにしたことを特徴とする請求項１記載の眼鏡。
【発明の詳細な説明】
【技術分野】
【０００１】
この発明は、急な天候の変化や個々の使用目的に応じて、色彩の異なるレンズや度付きレンズなどに交換することのできるサングラス、近視用眼鏡、遠視用眼鏡などの各種の眼鏡に関するものである。
【背景技術】
【０００２】
従来、この種の眼鏡として、図１７、１８に示したようなサングラスが存在する。このサングラスは、図１７に示したように、交換可能なレンズ２１が嵌まり込んだ左右のリム２２相互をブリッジ２３で繋ぐと共に、各リム２２の外端部にヒンジ２４を介してツル２５を折り畳み自在に取り付けたものとし、前記レンズ２１がリム２２に着脱できるようにしている。
【０００３】
前記リム２２は、レンズ２１の内側縁から上下縁部分が嵌め込まれる溝２６を形成しており、前記溝２６のエンド部はレンズ２１の着脱を可能にするため外側に開放するものとしている。
【０００４】
さらに、前記サングラスは、リム２２に形成した溝２６内に係合突起２７を設けると共に、レンズ２１に切欠２８を設け、レンズ２１がリム２２に装着された状態では係合突起２７が切欠２８に嵌まり込んでおり、これによりレンズ取り外し時に抵抗を付与している（特許文献１）。
【０００５】
このように構成された従来の眼鏡では、レンズ交換する場合には、レンズ２１を二本の指で摘んで外側横方向に移動させる力を加えると、切欠２８と係合突起２７との係合が解かれ、図１８に示したように、レンズ２１は外側上がりの姿勢になり、さらにレンズ２１を移動させるとリム２２から外れる。
【０００６】
逆に、レンズ２１を二指で摘んで溝２６に少し嵌め込んだ後、内側へ押し込むと切欠２８と係合突起２７とが係合状態になると共にレンズ２１はリム２２に装着される。
【０００７】
このように、従来の眼鏡では、レンズ２１の交換が容易にできる。
【先行技術文献】
【特許文献】
【０００８】
【特許文献１】特開２００２−２１４５６８号公報
【発明の概要】
【発明が解決しようとする課題】
【０００９】
しかしながら、上記特許文献１に示された従来の眼鏡は、レンズ交換する場合に、レンズ２１を二本の指で摘むため、レンズ２１の内外面に指紋がついて汚れたり、さらにレンズ２１を二本の指で摘んだあと外側横方向に移動させる力を加えるため、レンズ２１に負荷がかかったりするという問題点を有していた。
【００１０】
さらに、上記特許文献１に示された従来の眼鏡は、眼鏡の着用時において、レンズ２１を外側横方向に移動させる力を不用意に加えてしまうと、レンズ２１がリム２２からずれてしまったり、場合によっては外れてしまうことがあるという問題点を有していた。
【００１１】
そこで、この発明は、上記従来の問題点を解決することをその課題としており、レンズの内外面に指紋がついて汚れたりせず、さらにレンズに負荷がかかることがなく、しかもレンズに、外側横方向に移動させる力を不用意に加えてしまっても、レンズがリムからずれてしまったり、外れてしまうことのない眼鏡を提供することを目的としてなされたものである。
【課題を解決するための手段】
【００１２】
この発明の眼鏡は、交換可能なレンズ１が嵌め込まれた合成樹脂材からなるリム２の両端部にヒンジ５を介して合成樹脂材からなるツル６を折り畳み自在に取り付けたものとし、前記リム２は、枠体１１にレンズ１の上端縁が嵌め込まれる溝１２が形成され、この枠体１１の外端部には前記ヒンジ５の一方のヒンジ体５ａが設けられ、このヒンジ体５ａに、前記ツル６に設けられたヒンジ５の他方のヒンジ体５ｂと、合成樹脂材からなる着脱操作体７の基端部７ａとが回動自在として軸支されたものとし、前記着脱操作体７の回動端部７ｂに、前記枠体１１の外端部に設けたヒンジ体５ａの係止部９に係止される係止片１０が設けられ、この係止片１０が前記ヒンジ体５ａの係止部９に係止されている状態で、前記レンズ１の外端部に設けた外係止部１ａに係止されるようにし、前記外係止部１ａを、レンズ１の上端縁に設けた突出体とし、この突出体の下端が前記着脱操作体７の係止片１０の上端に係止されるようにしたものとしている。
【００１３】
そして、この発明の眼鏡は、前記ヒンジ体５ａに、前記ヒンジ体５ｂと前記基端部７ａとが軸体８により回動自在として同軸支されたものとしている。
【００１５】
また、この発明の眼鏡は、前記レンズ１の上端縁に、リム２との位置決め用の切込みＣが設けられたものとしている。
【００１７】
また、この発明の眼鏡は、前記ツル６が折り畳まれていない状態では、このツル６の先端部６ａが前記着脱操作体７の基端部７ａに当接するようにし、前記ツル６が折り畳まれた状態では、このツル６の先端部６ａが前記着脱操作体７の基端部７ａに当接しないようにしたものとしている。
【００１８】
さらに、この発明の眼鏡は、前記ツル６が折り畳まれていない状態では、このツル６の先端部６ａが前記着脱操作体７の基端部７ａに当接しないようにし、前記ツル６が折り畳まれた状態でも、このツル６の先端部６ａが前記着脱操作体７の基端部７ａに当接しないようにしたものとしている。
【発明の効果】
【００１９】
この発明の眼鏡は、以上に述べたように構成されており、レンズを交換する場合には、レンズの端縁を指で支えるだけでよいので、レンズの内外面に指紋がついて汚れたりしないのは勿論、レンズにも負荷がかかることがないものとなる。
【００２０】
さらに、この発明の眼鏡は、眼鏡の着用時においてレンズに、外側横方向に移動させる力を不用意に加えてしまっても、レンズの着脱操作体が操作できないので、レンズがリムからずれてしまったり、外れてしまうことがないものとなる。
【図面の簡単な説明】
【００２１】
【図１】この発明の眼鏡の一実施形態を斜め上から見た状態の斜視図である。
【図２】図１に示すこの発明の眼鏡を斜め下から見た状態の斜視図である。
【図３】図１に示すこの発明の眼鏡を斜め上から見た状態の分解斜視図である。
【図４】この発明の眼鏡の他の実施形態（レンズが二眼レンズである場合）の説明図である。
【図５】この発明の眼鏡のさらに他の実施形態（レンズが一眼レンズである場合）の説明図である。
【図６】この発明の眼鏡のさらに他の実施形態（レンズが一眼レンズである場合）の説明図である。
【図７】この発明の眼鏡のレンズの外係止部の他の例の説明図である。
【図８】この発明の眼鏡のレンズの外係止部のさらに他の例の説明図である。
【図９ａ】この発明の眼鏡のレンズの着脱操作の第一段階を示す説明図である。
【図９ｂ】図９ａにおけるこの発明の眼鏡の着脱操作体及びその近辺の断面図である。
【図１０ａ】この発明の眼鏡のレンズの着脱操作の第二段階を示す説明図である。
【図１０ｂ】図１０ａにおけるこの発明の眼鏡の着脱操作体及びその近辺の断面図である。
【図１１】この発明の眼鏡のレンズの着脱操作の第二段階を別角度から見た状態を示す説明図である。
【図１２】この発明の眼鏡のレンズの着脱操作の最終段階を示す説明図である。
【図１３ａ】この発明の眼鏡のツルが折り畳まれていない状態において、ツルの先端部に着脱操作体の基端部が当接している状態の斜視図である。
【図１３ｂ】図１３ａにおけるこの発明の眼鏡の着脱操作体及びその近辺の断面図である。
【図１４ａ】この発明の眼鏡の他の実施形態の斜視図である。
【図１４ｂ】図１４ａにおけるこの発明の眼鏡の着脱操作体及びその近辺の断面図である。
【図１５ａ】この発明の眼鏡の他の実施形態のレンズの着脱操作の第一段階を示す説明図である。
【図１５ｂ】図１５ａにおけるこの発明の眼鏡の着脱操作体及びその近辺を示す断面図である。
【図１６】この発明の眼鏡の他の実施形態のレンズの着脱操作の第二段階（最終段階）を示す説明図である。
【図１７】従来の眼鏡の一例を示す斜視図である。
【図１８】図１７に示す従来の眼鏡のレンズの着脱操作状態を示す説明図である。
【発明を実施するための形態】
【００２２】
以下、この発明の眼鏡を実施するための形態を、図面に基づいて詳細に説明する。
【００２３】
この発明の眼鏡は、図１〜３、図４及び図５に示したように、交換可能なレンズ１が嵌め込まれたリム２の中央部にブリッジ３を設けると共に、このブリッジ３に鼻パッド４を設け、リム２の両端部にヒンジ５を介してツル６を折り畳み自在に取り付けたものとし、前記レンズ１をリム２に着脱自在としている。
【００２４】
さらに、この発明の眼鏡は、図６に示したように、交換可能なレンズ１がリム２に嵌め込まれ、このレンズ１の中央下部に鼻パッド４を設け、リム２の両端部にヒンジ５を介してツル６を折り畳み自在に取り付けたものとし、前記レンズ１をリム２に着脱自在としている。
【００２５】
図１〜３及び図４に示したこの発明の眼鏡は、前記レンズ１を二眼レンズにしており、図５及び図６に示したこの発明の眼鏡は、前記レンズ１を一眼レンズにしている。
【００２６】
前記レンズ１は、二眼レンズとした場合には、図１〜３に示したようにそれぞれ、外端部には外係止部１ａが設けられ、上端縁の内端部には内係止部１ｂが設けられ、上端縁の中間部にはリム２との位置決め用の切込みＣが設けられている。また、前記レンズ１は、図４に示したように、補強枠Ｆに嵌め込んだものとし、この補強枠Ｆの外端部には外係止部１ａが設けられ、上端縁の内端部には内係止部１ｂが設けられ、必要に応じ上端縁の中間部には位置決め用の切込み（図示せず）が設けられたものとしてもよい。なお、前記リム２には、レンズ１の切込みＣや補強枠Ｆの切込みに合致する突起Ｐが設けられている。二眼レンズとした場合の交換可能なレンズ１としては、近視や遠視用の各種の度付きレンズ、各種の色彩とした色付きレンズ、偏光レンズ、ミラーレンズ等とすることができる。
【００２７】
さらに、前記レンズ１は、一眼レンズとした場合には、図５及び図６に示したように、両外端部には外係止部１ａが設けられ、さらに図６に示したものでは、上端縁の中央部にはリム２との位置決め用の切込みＣが設けられている。なお、前記リム２には、レンズ１の切込みＣに合致する突起Ｐが設けられている。一眼レンズとした場合の交換可能なレンズ１としては、各種の色彩とした色付きレンズ、偏光レンズ、ミラーレンズ等とすることができる。
【００２８】
前記リム２は、図１〜３及び図４に示したものでは、横一条に形成した枠体１１にレンズ１の上端縁が嵌め込まれる溝１２が形成され、この枠体１１の外端部には前記ヒンジ５の一方のヒンジ体５ａが設けられ、このヒンジ体５ａに、ツル６に設けられたヒンジ５の他方のヒンジ体５ｂと、着脱操作体７の基端部７ａとが軸体８により回動自在として同軸支されている。さらに、前記溝１２は、レンズ１の上端縁の内係止部１ｂ側の溝端部に、この内係止部１ｂが係止される被係止部１２ｂが設けられている。また、前記溝１２は、レンズ１の外係止部１ａ側の溝端部に、必要に応じて、この外係止部１ａが接触してずり落ちない程度の傾斜壁１２ａが設けられている。
【００２９】
さらに、前記リム２は、図５及び図６に示したものでは、横一条に形成した枠体１１にレンズ１の上端縁が嵌め込まれる溝１２が形成され、この枠体１１の外端部にはヒンジ５の一方のヒンジ体５ａが設けられ、このヒンジ体５ａに、ツル６に設けられたヒンジ５の他方のヒンジ体５ｂと、着脱操作体７の基端部７ａとが軸体８により回動自在として同軸支されている。さらに、前記溝１２は、レンズ１の外係止部１ａ側の溝端部に、必要に応じて、この外係止部１ａが接触してずり落ちない程度の傾斜壁１２ａが設けられている。
【００３０】
なお、前記着脱操作体７の基端部７ａは、枠体１１に設けたヒンジ体５ａとツル６に設けたヒンジ体５ｂとが軸支された軸体８とは同軸支せず、別の軸体（図示せず）によって、前記ヒンジ体５ａに軸支されたものとしてもよい。
【００３１】
前記着脱操作体７は、ツル６が折り畳まれていない状態では、このツル６の先端部６ａが基端部７ａに近づいて、この基端部７ａに当接するようにしているが、前記ツル６の先端部６ａが基端部７ａに近づいても、この基端部７ａに当接しないようにしてもよい。そして、前記着脱操作体７は、ツル６が折り畳まれた状態では、このツル６の先端部６ａが前記基端部７ａから遠ざかって、この基端部７ａに当接しないようにしている。
【００３２】
さらに、前記着脱操作体７は、前記枠体１１の外端部に設けたヒンジ体５ａの係止部９に係止される係止片１０が、回動端部７ｂに設けられ、この係止片１０が前記ヒンジ体５ａの係止部９に係止されている状態で、前記レンズ１の外端部に設けた外係止部１ａにも係止されるようにしている。
【００３３】
前記外係止部１ａは、図１〜６に示したようなレンズ１の上端縁に設けた突出体とし、この突出体の下端が前記着脱操作体７の係止片１０の上端に係止されるようにしたり、図７に示したようなレンズ１の上端縁から少し下げた位置に設けた切り溝とし、この切り溝に前記着脱操作体７の係止片１０が嵌まり込んで係止されるようにしたり、図８に示したようなレンズ１の上端縁から少し下げた位置に設けた係止孔とし、この係止孔に前記着脱操作体７の係止片１０が嵌まり込んで係止されるようにすることができる。
【００３４】
この発明の眼鏡において、前記リム２、ツル６及び着脱操作体７は、ナイロンやポリカーボネートなどの合成樹脂材からなるものとするのが、加工面などにおいて好ましいが、これらの部材は金属材からなるものとすることもできる。
【００３５】
このように構成されたこの発明の眼鏡は、以下に述べるように着脱操作体７を操作することにより、レンズ１をリム２に着脱自在として、そのレンズ１を交換することができるようにしている。
【００３６】
先ず、ツル６が折り畳まれていない状態において、このツル６の先端部６ａが着脱操作体７の基端部７ａに近づいて、この基端部７ａに当接するようにしたものでは、図９ａ、９ｂに示したように、ツル６が折り畳まれた状態にすると、ツル６の先端部６ａが着脱操作体７の基端部７ａから遠ざかって、この基端部７ａに当接しないようになるので、着脱操作体７の回動端部７ｂに指を掛けて、この着脱操作体７を回動させると、図１０ａ、１０ｂに示したような状態となる。この状態では、図１１に示したように、前記レンズ１の外係止部１ａが着脱操作体７の回動端部７ｂの係止片１０に係止されなくなるので、前記レンズ１が二眼レンズの場合は、図１２に示したように、このレンズ１の端縁に指を掛けるなどして、下方に軽く引くだけで、前記レンズ１の内係止部１ｂもブリッジ３の被係止部１２ｂから外れ、このレンズ１をリム２から簡単に外すことができる。また、前記レンズ１が一眼レンズの場合は、このレンズ１の端縁に指を掛けるなどして、下方に軽く引くだけで、このレンズ１をリム２から簡単に外すことができる。
【００３７】
そして、前記レンズ１をリム２に取り付ける場合には、以上に述べた操作の逆の操作を行えばよいので、前記レンズ１をリム２に着脱自在とすることができ、近視や遠視用の各種の度付きレンズ、各種の色彩とした色付きレンズ、偏光レンズ、ミラーレンズ等に簡単に交換することができる。
【００３８】
なお、図１３ａ、１３ｂに示したように、ツル６が折り畳まれていない状態においては、着脱操作体７の回動端部７ｂに指を掛けて、この着脱操作体７を回動させようとしても、ツル６の先端部６ａに着脱操作体７の基端部７ａが当接しているため、この着脱操作体７を回動させることができない。したがって、眼鏡の着用時に、レンズ１に外側横方向に移動させる力を不用意に加えてしまっても、レンズ１がリム２からずれてしまったり、外れてしまうことはない。
【００３９】
次に、ツル６が折り畳まれていない状態において、このツル６の先端部６ａが着脱操作体７の基端部７ａに近づいても、この基端部７ａに当接しないようにしたものでは、図１４ａ、１４ｂに示したように、ツル６が折り畳まれていない状態においても、ツル６の先端部６ａが着脱操作体７の基端部７ａから遠ざかって、この基端部７ａに当接しないようになっているので、着脱操作体７の回動端部７ｂに指を掛けて、この着脱操作体７を回動させると、図１５ａ、１５ｂに示したような状態となる。この状態では、前記レンズ１の外係止部１ａが着脱操作体７の回動端部７ｂの係止片１０に係止されなくなるので、前記レンズ１が二眼レンズの場合は、図１６に示したように、このレンズ１の端縁に指を掛けるなどして、下方に軽く引くだけで、前記レンズ１の内係止部１ｂもブリッジ３の被係止部１２ｂから外れ、このレンズ１をリム２から簡単に外すことができる。また、前記レンズ１が一眼レンズの場合は、このレンズ１の端縁に指を掛けるなどして、下方に軽く引くだけで、このレンズ１をリム２から簡単に外すことができる。
【００４０】
そして、前記レンズ１をリム２に取り付ける場合には、以上に述べた操作の逆の操作を行えばよいので、前記レンズ１をリム２に着脱自在とすることができ、各種の色彩とした色付きレンズ、偏光レンズ、ミラーレンズ等に簡単に交換することができる。
【符号の説明】
【００４１】
１  レンズ
１ａ  外係止部
２  リム
５  ヒンジ
５ａ  ヒンジ体
５ｂ  ヒンジ体
６  ツル
６ａ  先端部
７  着脱操作体
７ａ  基端部
７ｂ  回動端部
８  軸体
９  係止部
１０  係止片
１１  枠体
１２  溝
【図１】
0005975373.tif 000002
【図２】
0005975373.tif 000003
【図３】
0005975373.tif 000004
【図４】
0005975373.tif 000005
【図５】
0005975373.tif 000006
【図６】
0005975373.tif 000007
【図７】
0005975373.tif 000008
【図８】
0005975373.tif 000009
【図９ａ】
0005975373.tif 000010
【図９ｂ】
0005975373.tif 000011
【図１０ａ】
0005975373.tif 000012
【図１０ｂ】
0005975373.tif 000013
【図１１】
0005975373.tif 000014
【図１２】
0005975373.tif 000015
【図１３ａ】
0005975373.tif 000016
【図１３ｂ】
0005975373.tif 000017
【図１４ａ】
0005975373.tif 000018
【図１４ｂ】
0005975373.tif 000019
【図１５ａ】
0005975373.tif 000020
【図１５ｂ】
0005975373.tif 000021
【図１６】
0005975373.tif 000022
【図１７】
0005975373.tif 000023
【図１８】
0005975373.tif 000024